(57)【要約】【課題】電流駆動、電圧駆動の切り替え機能を有し、電流駆動方式と電圧駆動方式との長所を生かすようにした。【解決手段】表示部１００、信号線駆動回路３００、走査線駆動回路２００、システムコントローラ４００を有し、画素回路１０１への書き込み信号の大きさに応じて、画素回路１０１への信号書き込みを、電流書き込み状態と電圧書き込み状態とに切り替え、所定階調以下を得る書き込み信号のときは電圧書き込み状態とする。【選択図】      図１
2008046261.tif 000002
【特許請求の範囲】
【請求項１】
基板上にマトリックス状に配列され、表示素子及び素子駆動の用の駆動容量を含む複数の画素回路と、
前記複数の画素回路の行毎の選択を行ない、選択した行に信号書き込み期間を設定する書き込み期間設定回路を含み、前記信号書き込み期間が設定された行の各画素回路内の駆動容量に書き込み信号を与える駆動回路と、
前記複数の画素回路の行を選択して画素オン制御信号を与え、前記表示素子が駆動される発光期間を設定する発光期間設定回路と、
を有し、
前記駆動回路は、前記駆動容量に前記書き込み信号を与える際に、電圧駆動方式と電流駆動方式のいずれか一方に切り替え可能に構成され、且つ、前記電圧駆動方式と電流駆動方式の輝度に対する切り替えポイントが可変可能である
ことを特徴とするアクティブマトリクス型表示装置。
【請求項２】
前記駆動回路は、前記複数の画素回路の列毎に設けられた信号線を駆動する信号線駆動回路を含み、
前記信号線駆動回路は、各列の信号が供給される電圧出力部及び電流出力部と、
前記電圧出力部又は電流出力部のいずれか一方の信号を選択して対応する前記画素回路に供給する選択部とを有し、
前記画素回路は、前記駆動容量に対して、電流書き込み経路と、電圧書き込み経路を有することを特徴とする請求項１記載のアクティブマトリックス型表示装置。
【請求項３】
前記駆動回路は、前記複数の画素回路の列毎に設けられた信号線を駆動する信号線駆動回路を含み、
前記信号線駆動回路から各列に出力される電流信号が前記画素回路に供給され、
前記画素回路は、前記駆動容量に対して、電流書き込み経路と、電圧書き込み経路が設けられ、いずれか一方の経路が切り替え選択されることを特徴とする請求項１記載のアクティブマトリックス型表示装置。
【請求項４】
前記駆動回路は、前記複数の画素回路の列毎に設けられた信号線を駆動する信号線駆動回路を含み、
前記信号線駆動回路から各列に出力される電圧信号が前記画素回路に供給され、
前記画素回路は、前記駆動容量に対して、電流書き込み経路と、電圧書き込み経路が設けられ、いずれか一方の経路が切り替え選択されることを特徴とする請求項１記載のアクティブマトリックス型表示装置。
【請求項５】
前記駆動回路が、電流書き込み方式から電圧書き込み方式に移行する条件は、
前記複数の画素回路の列毎に設けられた信号線の平均電流値が略１００ｎＡであることを特徴とする請求項１記載のアクティブマトリックス型表示装置。
【請求項６】
前記駆動回路が、電流書き込み方式から電圧書き込み方式に移行する条件は、
前記複数の画素回路の列毎に設けられた信号線の書き込み信号の平均値が所定の階調以下を示す値であることを特徴とする請求項１記載のアクティブマトリックス型表示装置。
【請求項７】
前記所定の階調は、予め設定された最大輝度に応じて前記駆動方式制御部により調整設定されることを特徴とする請求項６記載のアクティブマトリックス型表示装置。
【請求項８】
前記駆動回路は、電圧駆動方式と電流駆動方式を切り替える駆動方式制御部及び前記書き込み期間設定回路を含み、この駆動方式制御部及び前記書き込み期間設定回路により設定される前記切り替えポイントは、システムコントローラの制御信号により調整されることを特徴とする請求項１記載のアクティブマトリックス型表示装置。
【請求項９】
前記駆動回路は、電圧駆動方式と電流駆動方式を切り替える駆動方式制御部及び前記書き込み期間設定回路を含み、この駆動方式制御部及び前記書き込み期間設定回路は、前記駆動容量に前記書き込み信号を与える期間内に電流駆動方式から電圧駆動方式に切換える
ことを特徴とする請求項１記載のアクティブマトリックス型表示装置。
【請求項１０】
前記駆動回路は、電圧駆動方式と電流駆動方式を切り替える駆動方式制御部及び前記書き込み期間設定回路を含み、この駆動方式制御部及び前記書き込み期間設定回路は、前記駆動容量に前記書き込み信号を与える期間内に電流駆動方式から電圧駆動方式に切換え、電流駆動方式のときに、前記書き込み信号をそのレベルに応じてパルス幅変調して前記駆動容量に与えることを特徴とする請求項１記載のアクティブマトリックス型表示装置。
【請求項１１】
基板上にマトリックス状に配列され、表示素子及び素子駆動の用の駆動容量を含む複数の画素回路と、前記複数の画素回路の行毎の選択を行ない、選択した行に信号書き込み期間を設定する書き込み期間設定回路を含み、前記信号書き込み期間が設定された行の各画素回路内の駆動容量に書き込み信号を与える駆動回路と、前記複数の画素回路の行を選択して画素オン制御信号を与え、前記表示素子が駆動される発光期間を設定する発光期間設定回路と、を有し、前記表示素子を駆動する表示装置の駆動方法において、
前記駆動回路は、
前記電圧駆動方式と電流駆動方式の輝度に対する切り替えポイントを設定し、
前記駆動容量に前記書き込み信号を与える際に、前記切り替えポイントで電圧駆動方式と電流駆動方式のいずれか一方に切り替えることを特徴とするアクティブマトリクス型表示装置の駆動方法。
【発明の詳細な説明】
【技術分野】
【０００１】
本発明は、アクティブマトリクス型表示装置及びその駆動方法に関し、例えば表示素子として有機エレクトロ・ルミネセンス素子（以下有機ＥＬ素子と言う）を用いた表示装置に好適し、特に階調の精細度を向上し得るよう改善されたものである。
【背景技術】
【０００２】
有機ＥＬ素子を用いたアクティブマトリックス型表示装置が開発されている。この装置では、有機ＥＬ素子を駆動する駆動トランジスタの特性が各画素間でほぼ同一であることが要求される。しかしながら、通常、トランジスタはガラス基板などの絶縁体上に形成されるためトランジスタ特性のばらつきが生じ易い。
【０００３】
この問題に対しては、閾値キャンセル型回路、カレントコピー型回路が提案されている（特許文献１及び２を参照）。これら回路によると、表示素子を駆動する駆動電流に対して、駆動トランジスタの閾値が与える影響を排除することができる。したがって、画素間で駆動トランジスタの閾値がばらついていたとしても、そのようなばらつきが有機ＥＬ素子に供給する駆動電流に与える影響を低減することができる。
【特許文献１】米国特許第６，２２９，５０６Ｂ１号明細書
【特許文献２】米国特許第６，３７３，４５４Ｂ１号明細書
【発明の開示】
【発明が解決しようとする課題】
【０００４】
上記の閾値キャンセル型回路、カレントコピー型回路は、表示素子の駆動電流に対して、駆動トランジスタの閾値が与える影響を排除することができた。これらの回路は、駆動容量に信号を書き込む方法で分類した場合、電流駆動方式と電圧駆動方式と言える。
【０００５】
ここで、発明者は、以下の点に着目した、
（１）電流駆動方式の場合、駆動電流が大きい場合には、良好な駆動能力がある。しかし、駆動電流が小さい、つまり低い輝度の表示（低階調の表示）用の信号を駆動容量に書き込む場合は、駆動能力が低下し、信号線や画素の容量を所定値に設定できない。つまり、駆動容量への信号書き込み不足が生じ、低階調の画質の品位が低下する。このことは、コントラストに関して品位劣化を生じることである。
【０００６】
（２）一方、電圧駆動方式の場合、駆動容量に信号を書き込む場合、電圧―電流変換を行って書き込みを行う。しかし、電圧―電流変換回路で薄膜トランジスタの特性ばらつきに影響を受け、表示ムラに繋がるという問題がある。しかし、電圧駆動方式の場合、低い輝度の表示（低階調の表示）用の信号を駆動容量に書き込む場合は、比較的安定した書き込みが得られる。
【０００７】
そこで本発明の目的は、駆動容量に対する信号書き込み方式を電流駆動方式と電圧駆動方式との切り替えを可能とし、両方式の長所を生かせるようにしたアクティブマトリクス型表示装置及び方法を提供することを目的とする。
【課題を解決するための手段】
【０００８】
この発明の一面では、基板上にマトリックス状に配列され、表示素子及び素子駆動の用の駆動容量を含む複数の画素回路と、前記複数の画素回路の行毎の選択を行ない、選択した行に信号書き込み期間を設定する書き込み期間設定回路を含み、前記信号書き込み期間が設定された行の各画素回路内の駆動容量に書き込み信号を与える駆動回路と、前記複数の画素回路の行を選択して画素オン制御信号を与え、前記表示素子が駆動される発光期間を設定する発光期間設定回路と、を有し、前記駆動回路は、前記駆動容量に前記書き込み信号を与える際に、電圧駆動方式と電流駆動方式のいずれか一方に切り替え可能に構成され、且つ、前記電圧駆動方式と電流駆動方式の輝度に対する切り替えポイントが可変可能である。
【発明の効果】
【０００９】
上記手段によると、低階調の画質の品位が向上し装置の信頼性を得ることができる。
【発明を実施するための最良の形態】
【００１０】
以下、この発明の実施の形態を図面を参照して説明する。図１において、本発明の装置の全体的な概略構成を説明する。ガラス基板１１の中央に、表示部１００が構築されている。表示部１００には、複数の画素回路１０１がマトリックス状に配列されている。画素回路１０１の具体的構成例については後述する。
【００１１】
表示部１００には、画素回路の列毎に配線された複数の信号線が設けられており、この複数の信号線には、映像信号（書き込み信号）を出力する信号線駆動回路３００が接続されている。また表示部１００には、複数の画素回路１０１の行毎に配線された複数の走査線が設けされており、この複数の走査線は、走査信号を出力する走査線駆動回路２００に接続されている。走査線駆動回路２００は、後述する書き込み期間設定回路２１１、発光期間設定回路２１２を含む。
【００１２】
表示装置の全体は、システムコントローラ４００により統括制御される。システムコントローラ４００は、ガラス基板１１上に配置されてもよいし、外部に設けられてもよい。システムコントローラ４００内には、各種の処理プログラムが含まれており、これらの処理プログラムにより電源投入時の立ち上げ処理、通常動作時の信号処理などが実行される。システムコントローラ４００には、外部から映像信号の同期信号及びクロックが入力されており、映像信号に同期して動作する。
【００１３】
システムコントローラ４００は、走査線駆動回路２００及び信号線駆動回路３００を制御する。信号線駆動回路３００は、画像データレジスタ部３０１、駆動方式制御部５０１、電圧・電流出力切り替え部５０２を含む。
【００１４】
画像データレジスタ部３０１は、システムコントローラ４００の制御のもとで、外部からの映像信号を受け取り、表示部１００の各列の画素回路１００へ書き込み信号（画素データに相当）を出力する。このとき書き込み信号は、駆動方式制御部５０１の制御のもとで動作する電圧・電流出力切り替え部５０２を通り、電圧駆動方式或いは電流駆動方式のいずれか一方で、画素回路１０１の駆動容量に書き込まれる。
【００１５】
走査線駆動回路２００の書き込み期間設定回路２１１は、前記書き込み信号が適切な画素回路１０１に書き込まれるように、行毎に書き込み期間を設定する。また発光期間設定回路２１２は、前記書き込み信号が書き込まれた駆動容量を含む画素回路１０１の発光素子が発光する期間を設定する。
【００１６】
図２には、駆動方式制御部５０１と、電圧・電流出力切り替え部５０２の一例を示している。
【００１７】
画像データレジスタ部３０１には、１水平期間毎に例えば画素回路の１行分ずつの映像信号が書き込まれる。画像データレジスタ部３０１からは、各信号線（各列）に対して、書き込み信号が１行単位で水平同期信号に同期して一斉に出力される。
【００１８】
一方、駆動方式制御部５０１は、１フレーム分あるいは数分の１フレーム分の平均的な階調を判定する。このために、例えば全体の信号線に流れる電流の平均値を判定する。或いは、画像データレジスタ部３０１に供給されるデータの総合値或いはヒストグラムにより平均的な階調を判定してもよい。
【００１９】
画像データレジスタ部３０１の各信号線（列）は、電圧出力部５０Ａと電流出力部５０Ｂとに接続されている。図２では、第１列の信号線に接続された電圧出力部５０Ａと電流出力部５０Ｂを代表して示している。他の列の信号線にもそれぞれ同様な回路が接続されている。電圧出力部５０Ａは、画像データレジスタ部３０１の出力信号線の書き込み信号の値に応じた電圧を出力する回路である。また電流出力部５０Ｂは、画像データレジスタ部３０１の出力信号線の書き込み信号の値に応じた電流を出力する回路である。電圧出力部５０Ａと電流出力部５０Ｂの出力は、選択部５０Ｃに入力される。この選択部５０Ｃは、先の駆動方式制御部５０１からの判定信号に応じて、電圧出力部５０Ａの出力を電圧信号線ＳＩＧ＿Ｖに出力するか、又は電流出力部５０Ｂの出力を電流信号線ＳＩＧ＿Ｉに出力するかを決める。
【００２０】
また、駆動方式制御部５０１の判定信号は、走査線駆動回路２００にも与えられている。走査線駆動回路２００では、後述するように判定信号に応じて走査線ＳＩＧ１，ＳＩＧ２のレベルを切り替えことにより、画素回路内の駆動容量を電流駆動状態あるいは電圧駆動状態に切り替えることができる。
【００２１】
図３には、本発明の考え方を説明するために、階調と輝度/電流との関係を示している。今、表示装置が３２階調の表示能力を持つものとする。ここで、表示装置の最高輝度が設定位置の「１」（例えば300cd/m2）であるものとする（この最高輝度は、表示装置の設計時に設定される）。この場合、実際の動作時には次の動作を得るように設定される。駆動方式制御部５０１は、輝度が低下し、輝度ａ（８階調程度の表現能力）になるまでは電流駆動モードを維持する。しかし、輝度ａ以下（例えば信号線に流れる平均電流値が１００nA）になると、電圧駆動モードに切り替える。逆に輝度ａ以上になったと判定したときは、駆動方式制御部５０１は、電流駆動モードに切り替える。
【００２２】
また、表示装置が３２階調の表示能力を持ち、表示装置の最高輝度が設定位置の「２」（例えば150cd/m2）であるものとする（この最高輝度は、表示装置の設計時に設定される）。この場合は、実際の動作時には次の動作を得るように設定される。即ち、駆動方式制御部５０１は、輝度が低下し、輝度ａ（１６階調程度の表現能力）になるまでは電流駆動モードを維持する。しかし、輝度ａ以下（例えば信号線に流れる平均的電流値が１００nA）になると、電圧駆動モードに切り替える。書き込み電流が１００nAでは画素回路に対する書き込み不足が生じるからである。この書き込み不足が生じる領域で、さらに電流駆動を続けると、本来、階調は下がるべきなのに、表示部での階調が下がらず過剰となる。つまり輝度のコントラストの品位が低下する。
【００２３】
しかし、本発明では最高輝度の設定が低くなる場合には、それにともない電流駆動から電圧駆動モードに切り換わる階調を８階調から１６階調の方へシフトするという設定方法とするのである。この設定は、駆動方式制御部５０１の出力特性或いは感度を調整することにより可能である。これにより、電流駆動から電圧駆動に切り換わったときに、輝度―階調特性において、リニアな特性を得ることができた。つまり、低階調までコントラストの品位が向上した。上記の画素回路に対しては電圧駆動を行う場合、１６階調分の電圧駆動でよい。このために、電圧駆動に関する階調電圧を発生する回路は簡単でよい。
【００２４】
ここで、本装置では、輝度が変化する状態をモニタし、上記の駆動方式の切り替えを行なう必要がある。輝度の変化をモニタする方法としては、各種の方法が可能である。
【００２５】
例えば（１）1フレーム毎の平均輝度或いはスペクトラムを求めてその値に基づいて、1フレーム単位で適切な駆動方式を判定する方法がある。（２）又は、１フレームを複数の領域に分割して、領域毎の平均輝度或いはスペクトラムを求めてその値に基づいて、領域毎に適切な駆動方式を判定する方法がある。（３）又は、画像の中で動画領域のパーセンテージが多い場合は上記の（２）の方式、静止画領域のパーセンテージが多い場合は、上記の（１）の方式を選択する方法がある。
【００２６】
さらに、例えば（１）の方式が採用されている装置において、ユーザがこの動作をオンする又はオフできるようにしてもよい。同様に（２）の方式が採用されている装置において、ユーザがこの動作をオンする又はオフできるようにしてもよい。また同様に（３）の方式が採用されている装置において、ユーザがこの動作をオンする又はオフできるようにしてもよい。さらには、上記（１）、（２）、（３）の方式を表示装置がすべて有し、ユーザが選択できるようにしてもよい。
【００２７】
＜次に画素回路の例を説明する＞
図４には、第１列第１行目の画素回路１０１の構成例を代表して示している。アノード電圧ＰＶＤＤが与えられた第１の電源ラインには、駆動トランジスタＴＲのソースが接続されている。駆動トランジスタＴＲのゲートとアノード間には、駆動容量としての容量Ｃ１が接続されている。駆動トランジスタＴＲのドレインは、スイッチＳＷ１を介して信号線ＳＩＧ＿１に接続されている。駆動トランジスタＴＲのゲートとドレイン間には、スイッチＳＷ２が接続されている。駆動トランジスタＴＲ、スイッチＳＷ１,ＳＷ２は薄膜トランジスタで構成されている。スイッチＳＷ１,ＳＷ２のゲートは、画素選択を行う走査線ＳＧ２に接続されている。
【００２８】
駆動トランジスタＴＲのドレインは、薄膜トランジスタで構成されたスイッチＳＷ３のソースに接続される。このスイッチＳＷ３のドレインは、有機ＥＬ素子である表示素子ＯＥＬＤ１に接続されている。スイッチＳＷ３のゲートは、画素オンオフ制御信号が与えられ走査線ＳＩＧ１に接続されている。画素オンオフ制御信号は先に説明したように走査線駆動回路２００の発光期間設定回路２１２から出力される。
【００２９】
画素選択信号によりスイッチＳＷ１、ＳＷ２がオンしたときには、信号線ＳＩＧ＿Ｉに流れる信号電流に応じて、容量Ｃ１に信号電圧がチャージされる。スイッチＳＷ１、ＳＷ２がオフし、スイッチＳＷ３がオンすると、容量Ｃ１に蓄積されている信号電圧に見合う電流が駆動トランジスタＴＲ、スイッチＳＷ３を介して、表示素子ＯＥＬＤ１に流れる。発光量は、表示素子ＯＥＬＤ１に流れる電流にほぼ比例する。スイッチＳＷ３は、点灯オンオフ制御信号により制御されている。以上は、階調が高い状態の下での電流駆動モードのときの動作である。
【００３０】
ここで、さらに駆動トランジスタＴＲのゲートは、容量Ｃ２を介してスイッチＳＷ４のドレインに接続されている。このスイッチＳＷ４のソースは、信号線駆動回路３００に接続されている電圧信号線ＳＩＧ＿Ｖに接続されている。スイッチＳＷ４のゲートは、画素選択を行う走査線ＳＩＧ２に接続されている。
【００３１】
電圧駆動モードのときは、走査線ＳＩＧ２がハイレベル、走査線ＳＩＧ１がローレベルとなる。このためスイッチＳＷ４がオン、ＳＷ２，ＳＷ３がオフとなる。ここで、電圧信号線ＳＩＧ＿Ｖに電圧信号が供給されると、この電圧信号は、容量Ｃ２でスピードアップされて、容量Ｃ１にチャージされることになる。この後、画素表示期間には、スイッチＳＷ４はオフされて、スイッチＳＷ３がオンされる。これにより容量Ｃ１に蓄積されている信号電圧に見合う電流が駆動トランジスタＴＲ、スイッチＳＷ３を介して、表示素子ＯＥＬＤ１に流れる。以上は、階調が低い状態の下での、電圧駆動モードのときの動作である。
【００３２】
この発明は、上記の実施の形態に限定されるものではない。図５には、画素回路の他の構成例を示している。図４の画素回路であると、信号線駆動回路３００で、電圧出力部５０Ａと電流出力部５０Ｂが必要であった。しかし、図５の画素回路を用いると、電流出力部５０Ａだけでよい。したがって、電流信号線ＳＩＧのみとなる。図５において、図４と同一部分には同一符号を付して説明する。図５の画素回路は、スイッチＳＷ４のドレインと、アノード電圧ＰＶＤＤの電源ラインとの間に更にスイッチＳＷ５が接続されている。このスイッチＳＷ５のゲートには、走査線駆動回路２００の書込み期間設定回路２１１から画素選択用としての走査線ＳＩＧ３が接続されている。他の部分は、図４の画素回路と同じ構成である。
【００３３】
図５の回路は、階調が高い状態の電流駆動モードのときの動作は、図４の回路の動作と同じである。電流駆動モードのときはスイッチＳＷ４，ＳＷ５はオフしている。階調が低い状態の電圧駆動モードで信号が駆動容量Ｃ１に書き込まれるときは、スイッチＳＷ４，ＳＷ５がオンし、スイッチＳＷ１，ＳＷ２がオフされる。信号線ＳＩＧから信号電流が供給されると、スイッチＳＷ４を介して信号が流れ、スイッチＳＷ５で電流電圧変換される。このときの電圧が容量Ｃ２を介して駆動容量Ｃ１にチャージされる。後の動作は、発光期間の動作であり、図４で説明した例と同じである。
【００３４】
この発明は、上記の実施の形態に限定されるものではない。図６には、画素回路の他の構成例を示している。図４の画素回路であると、信号線駆動回路３００で、電圧出力部と電流出力部が必要であった。しかし、図６の画素回路を用いると、電圧出力部だけでよい。
【００３５】
したがって、電圧信号線ＳＩＧのみとなる。図６において、図５と同一部分には同一符号を付して説明する。図５の画素回路は、スイッチＳＷ５のゲートが走査線ＳＧ３に接続されていたが、図６の画素回路では、スイッチＳＷ５のゲートが走査線ＳＧ２に接続されている。他の部分は、図５の画素回路と同じ構成である。
【００３６】
階調が低い状態の電圧駆動モードで信号が駆動容量Ｃ１に書き込まれるときは、スイッチＳＷ４がオンし、スイッチＳＷ１，ＳＷ２、ＳＷ５がオフされる。電圧信号線ＳＩＧ＿Ｖから電圧信号が供給されると、スイッチＳＷ４を介して信号が流れ、このときの電圧が容量Ｃ２を介して駆動容量Ｃ１にチャージされる。後の動作は、発光期間の動作であり、図４で説明した例と同じである。
【００３７】
これに対して、階調が高いときの電流駆動モードのときは、トランジスタＳＷ４がオフされ、トランジスタＳＷ１，ＳＷ２、ＳＷ５がオンされる。このために、電圧信号線ＳＩＧ＿Ｖから電圧信号の電圧に応じた電流がスイッチＳＷ２を流れ、この電流が容量Ｃ２，Ｃ１をチャージする。これにより、電圧信号の値に比例した電圧が容量Ｃ１にチャージされる。以降の発光期間は、先の実施の形態の動作と同じである。
【００３８】
この発明は、上記の実施の形態に限定されるものではない。図７には図３で説明した最高輝度設定位置が変更された場合に機能する部分について示している。いままでの実施の形態では、最高輝度設定位置は、図３で示した設定位置「１」、或は設定位置「２」のいずれかに装置製造時に設定されて設計されるものとして説明した。しかし、図７に示す機能ブロックは、製品製造後でもユーザにより最高輝度設定位置が変更可能とされた場合に対策として構成されている。このような対策を講じることで、低消費電力化を図るうえで有用である。
【００３９】
例えば最高輝度設定位置は、例えば、表示装置の白表示状態において輝度調整されることにより決まる。このときの設定位置情報は、調整部を介して最大輝度調整信号としてシステムコントローラ４００に与えられる。設定位置情報に応じて、システムコントローラ４００は、利得調整部又は電源電圧調整部４１０を介して、装置の表示素子に流れる電流の増幅利得或は電源電圧若しくはその両者を調整する。これに応じて、図３に示す最高輝度調整位置が変化する。例えば設定位置「１」と設定位置「２」の間のいずれかに設定される。
【００４０】
これにより階調３２から階調０までのリニアな輝度変化を得ようとすれば、電圧駆動と電流駆動との切替えポイントとなる階調も切替え設定しなければならない。このために本実施の形態では、システムコントローラ４００により、駆動方式制御部５０１の入力に対する感度調整を行い、切り替ええポイントを移動させている。切り替えポイントの移動の程度と最高輝度設定位置との関係データは、予め実験により測定されて、例えば、メモリにテーブル化されて格納されている。したがって、最高輝度調整位置が調整データにより調整されると、自動的に切り替えポイントを移動させるための感度調整データが決まる。この感度調整データは、例えば駆動方式制御部の出力利得、或いは入力利得を調整する。
【００４１】
この発明は上記の実施の形態に限定されるものではない。上記の実施の形態では、階調に応じて、電流駆動モードと電圧駆動モードの切替えを行なった。しかし、信号書き込み期間を時間的に区切り、電流駆動モードと電圧駆動モードを切替えてもよい。例えば、図８（Ａ）に示すように書き込み信号として、従来ならばレベルｉ５の電流を書き込み期間Ｔ０の間で流す必要があるとする。このような場合、本システムでは、図８（Ｂ）に示すようにレベルｉ４の電流を書き込み期間Ｔ１の間に流し、期間Ｔ２で、電圧値Ｖ１で駆動するのである。但し、電流のレベルｉ５に応じて、電流のレベルｉ４、電圧値Ｖ１が可変される。
【００４２】
或いは、図８（Ｃ）に示すように、電流駆動時の電流レベルｉｍと、電圧駆動時の電圧値Ｖ１は固定とし、電流レベルｉ５に応じて、電流駆動期間を可変してもよい。つまり電流レベルｉｍのパルス幅を可変するのである。
【００４３】
上記した電流レベル、電圧値、及びパルス幅を得るための制御データは、例えばルックアップテーブルに格納されている。この制御データは、例えば、書き込み信号のレベル（電流値、電圧値）に応じて、予め実験で求めたデータである。ルックアップテーブルは、画像データレジスタ部３０１から出力される書き込み信号を変換するメモリとして用いられる。
【００４４】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００４５】
【図１】本発明に係るアクティブマトリックス型表示装置の概略構成を示す図。
【図２】本発明の要部の具体的構成例を示す図。
【図３】本発明の基本的な考え方を説明するために示した階調対電流特性の説明図。
【図４】本発明に係る画素回路の構成例を示す図。
【図５】本発明に係る画素回路の他の構成例を示す図。
【図６】本発明に係る画素回路のさらに他の構成例を示す図。
【図７】本発明の他の実施の形態における要部を示す図。
【図８】本発明のさらに他の実施の形態の動作を説明するために示した図。
【符号の説明】
【００４６】
１１…ガラス基板、１００…表示部、１０１…画素回路、２００…走査線駆動回路、３００…信号線駆動回路、４００…システムコントローラ、５０１…駆動方式制御部。
【図１】
2008046261.tif 000003
【図２】
2008046261.tif 000004
【図３】
2008046261.tif 000005
【図４】
2008046261.tif 000006
【図５】
2008046261.tif 000007
【図６】
2008046261.tif 000008
【図７】
2008046261.tif 000009
【図８】
2008046261.tif 000010